(57)【要約】      （修正有）【課題】運動時や作業等による呼吸困難や熱射病を防ぎ、メガネの曇りと息苦しさを軽減する快適呼吸マスクを提供する。【解決手段】快適呼吸マスクは、複重層フイルター３、４とチューブ５とマスクを保持する耳掛け紐６でなり、このマスクを装着するとマスク内の呼吸気は外フイルター３と口フイルター４と２本のチューブ５で呼吸気回路が構成されたことで呼吸時の息苦しさがなくなり、呼吸気に起因する支障が少なく、車の運転、歩行時の危い思いから解消され、労働作業や運動時に着用しても快適な呼吸が保持される。【選択図】図６
0003228069.tif 000002
【実用新案登録請求の範囲】
【請求項１】
衛生的で呼吸が快適にできるマスクにおいて、マスク装着時の呼吸気体回路を設けるものであり、そのマスク用フイルターは外フイルターと口フイルターを布嚢状に設ける、その、布嚢状の開口部へ２本のチューブを設ける、その、チューブの上方は外鼻孔へ接するよう設け、チューブの下方は上唇縁の長さを保ち、そのチューブは布嚢状の外フイルターへ着脱可能に装着する、マスク左右の縁部より耳部へ係支するリング状の耳掛け紐を設けたことで、鼻孔での呼吸気体は外鼻孔へ接する２本のチューブと、そのチューブと連接する布嚢へ吸排気される、その呼吸気体は収容量の多い布嚢へ吸排気されることで呼吸が楽にできることを特徴とする快適呼吸マスク。
【請求項２】
マスク用フイルターは複重層とし、そのフイルターを布嚢状の複重構造にしたことで鼻孔での呼吸気体は布嚢を介してマスクの外部へ吸排気される、口腔よりの呼吸気体は口フイルターで遮断され、上唇より上部への呼吸気体の流れは遮断されたことで、メガネの曇りとマスクによる息苦しさを軽減されることを特徴とする快適呼吸マスク。
【考案の詳細な説明】
【技術分野】
【０００１】  この考案は、一般的なマスクに関する。
【背景技術】
【０００２】  マスクの種類は多数あります、そしてウイルスや細菌そして花粉や砂埃の防止を目的としている、さらに、息漏によるメガネが曇らないマスクは存在する。
【先行技術文献】
【特許文献】
【０００３】
【特許文献１】特願２０１７−０９３４０６
【特許文献２】特願２０１５−９８６０６
【０００４】  特許文献１  不織布を用いて作られたマスク本体１の裏側、中央上縁部に粘着テープ２を取り付けることにより、呼気がマスクから漏れるのを防ぐ。
【非特許文献】
【非特許文献１】
【０００６】  インフルエンザの予防、ほかの人にうつさないための対策にマスクをつけることは効果があります、ただし、効果の範囲には限界があり、自分にあったマスクをつけていなかったり、目的の異なるマスクをつけていたりすると、さらに効果は低いものになります、厚生労働省インフルエンザＱ＆Ａ出展
【考案の概要】
【考案が解決しようとする課題】
【０００７】  一般的なマスクはウイルスや細菌、粉塵を防ぐ目的で顔面を覆うが、運動時や作業内容によっては呼吸困難や熱射病になる可能性がある。
【課題を解決するための手段】
【０００８】  本考案の快適呼吸マスクは複重層の外フイルターと口フイルターで布嚢状とし、鼻孔に接する２本のチューブと左右の耳部へ係支するリング状耳掛け紐でマスク装着時の呼吸気体回路を設けるものであり、そのマスクは複重層で外フイルターと口フイルターで布嚢状を呈する、２本のチューブ上方は布嚢状の上縁開口部へ設ける、そのチューブの上方は外鼻孔へ接するよう設け、下方は上唇の縁部とする、そのチューブはチューブ固定テープで外フイルターの内側へ着脱可能に装着する、マスク左右の縁部より耳部へ係支するリング状の耳かけ紐で構成する、これにより鼻孔での呼吸気体は外鼻孔へ接する２本のチューブとそのチューブと連接するフイルター布嚢状に設けたことで、呼吸気体は収容量の多い布嚢状へ吸排気されることで呼吸気体回路ができる、マスク用フイルター布嚢は複重層とし、その布嚢を複重構造にしたことで鼻孔での呼吸気体は布嚢を介して外フイルターにより換気されるが、マスクの下方外部へ吸排気される気体もある、口腔よりの呼吸気体は口フイルターにより上唇より上部への呼吸気体の流れは前方と下方へ排出される、これでメガネの曇りとマスクによる息苦しさを軽減される快適呼吸マスク。
【考案の効果】
【０００９】  本考案の快適呼吸マスクは呼吸気回路を構成するもので、複重層フイルターとチューブとマスクを保持する耳掛け紐でなり、このマスクを装着するとマスク内の呼吸気は外フイルターと口フイルターと２本のチューブで呼吸気回路が構成されたことで呼吸時の息苦しさがなくなり、呼吸気に起因する支障が少なく、車の運転、歩行時の危い思いから解消され、労働作業や運動時に着用しても快適な呼吸が保持される。
【図面の簡単な説明】
【００１０】
【図１】本考案の表面図
【図２】本考案の裏面図
【図３】本考案の断面図
【図４】本考案の斜視図
【図５】チュウブ詳細図
【図６】本考案の使用状態を示した断面図
【考案を実施するための形態】
【００１１】  本考案の快適呼吸スクは複重層のフイルターを布嚢状に設ける、２本のチューブは外フイルターと口フイルターで成る布嚢状の上縁の開口部へ設ける、耳掛け紐は左右の耳部へ係支するリング状耳掛け紐であり、マスク装着時の呼吸気体回路を構成する、外フイルターと口フイルターで布嚢状はマスクの形状であり、２本のチューブの頭頂部は外鼻孔へ接するよう設ける、そのチューブの下方は上唇の縁部とする、そのチューブは外フイルターの内側で布嚢状の開口部へチューブ固定テープで着脱可能に装着する、耳かけ紐はマスク左右の縁部より耳部へ係支するリング状の耳かけ紐で構成する、鼻孔での呼吸気体は外鼻孔へ接する２本のチューブとそのチューブと連接する外フイルターと口フイルターよりなる布嚢状を設けたことで、呼吸気体は収容量の多い布嚢状へ吸排気されることで呼吸気体回路ができるマスクであり、口フイルターは鼻孔と口腔よりの吸排気分離する機能を有し、鼻孔での吸排気は口フイルターで前方と下方へ吸排される、口腔からの吸排気は口フイルターで下方へ吸排される、これで呼吸気体の流れは円滑になる、そしてメガネの曇りとマスクによる息苦しさを軽減される。
【実施例】
【００１２】実施例は図面に準じて説明する。
図１は本考案の表面図でマスクの表面図で外フイルターと耳掛け紐を示す。【００１３】  図２は本考案の裏面図でマスクの裏面図で口フイルターと２本のチューブと耳掛け紐を示す。【００１４】  図３は本考案の断面図で外フイルターと口フイルターとチューブとチューブ固定テープと耳掛け紐を示す。【００１５】  図４本考案の斜視図で耳掛け紐と２本のチューブと口フイルターを示す。【００１６】  図５本考案のチュウブとチューブ固定テープの詳細図である。【００１７】  図６本考案の使用状態を示した断面図で外フイルターと口フイルターと鼻孔とチューブ固定テープとチューブと耳かけ紐と眼鏡と唇を示す。
【産業上の利用可能性】
【００１８】  本考案の快適呼吸マスクは動物等のマスクとしても利用できる。
【符号の説明】
【００１９】１    マスク本体の表面図
２    マスク本体の裏面図
３    外フイルター
４    口フイルター
５    チューブ
６    耳かけ紐
７    鼻孔
８    チューブ固定テープ
９    眼鏡
１０  唇
【図１】
0003228069.tif 000003
【図２】
0003228069.tif 000004
【図３】
0003228069.tif 000005
【図４】
0003228069.tif 000006
【図５】
0003228069.tif 000007
【図６】
0003228069.tif 000008